(57)【要約】【課題】排版ローラ対と版胴との間で使用済みの孔版原紙が緊張したときに、排版ローラ対側の負荷を軽減する。【解決手段】回転可能な版胴３１の円筒状外周面３１ａに巻回させた使用済みの孔版原紙Ｍを取り外して、この孔版原紙を排版ボックス５１内に排版搬送する孔版原紙排版搬送手段５５を備えた排版装置５０において、孔版原紙排版搬送手段５５は、孔版原紙の排版ボックス内への排版搬送時に、版胴の周速度よりも速い周速度で回転する排版ローラ対５６Ｕ，５６Ｄと、版胴の円筒状外周面と対向する一端部５８ａ側に排版ローラ対が取り付けられ、且つ、一端部側とは反対側がアーム支持軸５９Ｌ，５９Ｒを介して揺動可能に支持された揺動アーム５８Ｌ，５８Ｒとを備えており、排版ローラ対による排版搬送中に孔版原紙の引っ張り力が増加したときに、揺動アームと一体に排版ローラ対を移動可能に構成した。【選択図】図２
2016187883.tif 000002
【特許請求の範囲】
【請求項１】
回転可能な版胴の円筒状外周面に巻回させた使用済みの孔版原紙を取り外して、この孔版原紙を排版ボックス内に排版搬送する孔版原紙排版搬送手段を備えた排版装置において、
前記孔版原紙排版搬送手段は、
前記孔版原紙の前記排版ボックス内への排版搬送時に、前記版胴の周速度よりも速い周速度で回転する排版ローラ対と、
前記版胴の円筒状外周面と対向する一端部側に前記排版ローラ対が取り付けられ、且つ、前記一端部側とは反対側がアーム支持軸を介して揺動可能に支持された揺動アームとを備えており、
前記排版ローラ対による排版搬送中に前記孔版原紙の引っ張り力が増加したときに、前記揺動アームと一体に前記排版ローラ対を移動可能に構成したことを特徴とする排版装置。
【請求項２】
前記揺動アームは、前記版胴の円筒状外周面から取り外された前記孔版原紙を前記排版ローラ対に導くように付勢手段により付勢されており、
前記排版ローラ対による排版搬送中に前記孔版原紙の引っ張り力が増加したときに、前記付勢手段を介して前記排版ローラ対と一体に前記揺動アームを該付勢手段の付勢方向と逆方向に揺動させることを特徴とする請求項１に記載の排版装置。
【発明の詳細な説明】
【技術分野】
【０００１】
本発明は、孔版印刷装置に係り、回転可能な版胴の円筒状外周面に巻回させた使用済みの孔版原紙を取り外して、この使用済みの孔版原紙を排版ボックス内に排版搬送する排版装置に関する。
【背景技術】
【０００２】
一般的に、孔版印刷装置は、この装置内に設けた製版部で製版された１版分の孔版原紙を回転可能な版胴の円筒状外周面に巻回させ、且つ、版胴内に供給したインクを孔版原紙に形成した穿孔画像部分を通過させて用紙上に穿孔画像部分と対応した画像を印刷するものであり、１版分の孔版原紙により同一の画像を多数枚印刷することができるので多用されている。
【０００３】
この種の孔版印刷装置において、多数枚の用紙への印刷が終了した後に、版胴の円筒状外周面に巻回させた孔版原紙を取り外して、使用済みの孔版原紙を排版ボックス内に排版搬送する際に、排版ボックスの入り口側に使用済みの孔版原紙を排版ボックス内に排版搬送する排版ローラ上及び排版ローラ下からなる排版ローラ対を設けた孔版印刷装置がある（例えば、特許文献１参照）。
【先行技術文献】
【特許文献】
【０００４】
【特許文献１】特開２０１２−１７９８２６号公報
【発明の概要】
【発明が解決しようとする課題】
【０００５】
ところで、特許文献１に記載の孔版印刷装置では、使用済みの孔版原紙を版胴の円筒状外周面から取り外して排版ボックス内に排版搬送する際に、排版ボックスの入り口側に設けた排版ローラ上及び排版ローラ下を、版胴の周速度よりも速い周速度で互いに反対方向に回転駆動している。具体的には、排版ローラ上及び排版ローラ下の周速度が、版胴の周速度の１．５〜２倍程度に設定されている。
【０００６】
この際、排版ローラ対（排版ローラ上及び排版ローラ下）の周速度が版胴の周速度よりも遅いと、排版ローラ対と版胴との間で使用済みの孔版原紙がたるんでしまうので、使用済みの孔版原紙が版胴の周囲に設けた機構部材を汚したり、あるいは、版胴の周囲に設けた機構部材に引っかかってジャムが発生する。
【０００７】
一方、排版ローラ対の周速度と版胴の周速度とが全く同じであれば問題ないが、実際には排版ローラ対のローラ径や版胴の円筒状外周面の径のバラツキ、排版ローラ対や版胴を回転駆動する各モータの回転数のバラッキ、各モータへの供給電圧のバラツキなどがあり、排版ローラ対の周速度と版胴の周速度とが完全に同一になることはない。
【０００８】
上記から、特許文献１に記載の孔版印刷装置では、前述したように、排版ローラ対（排版ローラ上及び排版ローラ下）の周速度を版胴の周速度よりも速くしているが、特許文献１に記載されたように排版ローラ対の周速度が版胴の周速度の１．５〜２倍程度であると速すぎてしまう。そこで、排版ローラ対の周速度を仮に版胴の周速度の１．１〜１．２倍程度に設定しても、排版ローラ対と版胴との間で使用済みの孔版原紙が緊張して、排版ローラ対側が使用済みの孔版原紙を介して版胴側を引っ張ることになる。
【０００９】
これにより、排版ローラ対側の負荷が増大するので、排版モータの回転を減速して排版ローラ対に伝達する減速ギア列が破損したり、排版モータを大型化する必要などの問題が生じてしまう。
【００１０】
そこで、本発明は、排版ローラ対の周速度を版胴の周速度の１．１〜１．２倍程度に速く設定した上で、排版ローラ対と版胴との間で使用済みの孔版原紙が緊張する量を減らし、排版ローラ対側の負荷を軽減できる排版装置を提供することを目的とする。
【課題を解決するための手段】
【００１１】
本発明は上記課題に鑑みてなされたものであり、第１の発明は、回転可能な版胴の円筒状外周面に巻回させた使用済みの孔版原紙を取り外して、この孔版原紙を排版ボックス内に排版搬送する孔版原紙排版搬送手段を備えた排版装置において、
前記孔版原紙排版搬送手段は、
前記孔版原紙の前記排版ボックス内への排版搬送時に、前記版胴の周速度よりも速い周速度で回転する排版ローラ対と、
前記版胴の円筒状外周面と対向する一端部側に前記排版ローラ対が取り付けられ、且つ、前記一端部側とは反対側がアーム支持軸を介して揺動可能に支持された揺動アームとを備えており、
前記排版ローラ対による排版搬送中に前記孔版原紙の引っ張り力が増加したときに、前記揺動アームと一体に前記排版ローラ対を移動可能に構成したことを特徴とする排版装置である。
【００１２】
また、第２の発明は、上記した第１の発明の排版装置において、
前記揺動アームは、前記版胴の円筒状外周面から取り外された前記孔版原紙を前記排版ローラ対に導くように付勢手段により付勢されており、
前記排版ローラ対による排版搬送中に前記孔版原紙の引っ張り力が増加したときに、前記付勢手段を介して前記排版ローラ対と一体に前記揺動アームを該付勢手段の付勢方向と逆方向に揺動させることを特徴とする排版装置である。
【発明の効果】
【００１３】
第１の発明の排版装置によれば、回転可能な版胴の円筒状外周面に巻回させた使用済みの孔版原紙を取り外して、この孔版原紙を排版ボックス内に排版搬送する際、孔版原紙排版搬送手段は、版胴の周速度よりも速い周速度で回転する排版ローラ対を揺動アームの一端部側に取り付け、排版ローラ対による排版搬送中に孔版原紙の引っ張り力が増加したときに、揺動アームと一体に排版ローラ対を移動可能に構成している。
【００１４】
この結果、排版ローラ対の周速度を版胴の周速度よりも速く設定したときに、使用済みの孔版原紙が排版ローラ対と版胴との間で緊張する量を減らし、排版ローラ対側の負荷が過剰にならずに軽減できる。また、排版モータの回転を減速して排版ローラ対に伝達する減速ギア列の破損を防ぐことができると共に、排版モータを大型化する必要がないなどの有利な効果を奏することができる。これにより、使用済みの孔版原紙を排版ローラ対により排版ボックス内に確実に排版搬送することができる。
【００１５】
また、第２の発明の排版装置によれば、上記した第１の発明の排版装置において、揺動アームは、版胴の円筒状外周面から取り外された孔版原紙を排版ローラ対に導くように付勢手段により付勢されており、排版ローラ対による排版搬送中に孔版原紙の引っ張り力が増加したときに、付勢手段を介して排版ローラ対と一体に揺動アームを付勢手段の付勢方向と逆方向に揺動させているので、第１の発明と同様の効果が得られる他に、簡単な構造の付勢手段により排版時における孔版原紙の緊張度合いを検出して、排版ローラ対による排版搬送中に孔版原紙の引っ張り力が増加したときに、揺動アームと一体に排版ローラ対を移動することができる。
【図面の簡単な説明】
【００１６】
【図１】本発明に係る排版装置を適用した孔版印刷装置の全体構成を示した構成図である。
【図２】本発明に係る排版装置に設けた孔版原紙排版搬送手段を示した斜視図である。
【図３】（ａ），（ｂ）は本発明に係る排版装置に設けた孔版原紙排版搬送手段の動作を説明するために模式的に示した図である。
【発明を実施するための形態】
【００１７】
以下に本発明に係る排版装置を実施する形態について、図１〜図３を参照して詳細に説明する。
【００１８】
本発明に係る排版装置を説明する前に、この排版装置を適用した孔版印刷装置について、図１を用いて簡略に説明する。
【００１９】
図１は本発明に係る排版装置を適用した孔版印刷装置の全体構成を示している。
【００２０】
図１に示す如く、孔版印刷装置１は、箱状に形成した装置筐体２と、操作パネル部１０と、原稿読取部１５と、製版部２０と、給紙部２５と、印刷部３０と、カム駆動部４０と、排紙部４５と、本発明に係る排版装置（排版部）５０と、制御部７０とを備えて構成されている。
【００２１】
まず、上記した操作パネル部１０は、装置筐体２の天面２ａの左方（又は前面）に設置されている。この操作パネル部１０は、印刷ジョブを行うための各種の機能釦と、テンキーと、液晶表示パネルなどを備えており、ユーザによる操作パネル部１０への操作により孔版印刷装置１が操作されている。
【００２２】
次に、上記した原稿読取部１５は、装置筐体２の天面２ａの右方に設置されている。この原稿読取部１５は、画像や文字などの画像情報が記載された原稿を読み取るスキャナを備えており、読み取った画像情報は製版部２０に送られる。
【００２３】
次に、上記した製版部２０は、装置筐体２内の右上方部位に設置されている。この製版部２０は、ロール状に巻回された孔版原紙（マスタ）Ｍを製版部２０からの画像情報に応じて感熱穿孔するサーマルヘッドと、感熱穿孔した孔版原紙Ｍを所定の長さの１版分に切断するカッタ刃とを備えており、１版分に切断した製版済みの孔版原紙Ｍを印刷部３０に送っている。
【００２４】
次に、上記した給紙部２５は、装置筐体２の左側面２ｂ側に設置されている。この給紙部２５は、未印刷の用紙Ｐを複数積層する給紙台と、給紙台に積層された用紙Ｐを給紙する給紙手段とを備えており、給紙した用紙Ｐを印刷部３０に送っている。
【００２５】
次に、上記した印刷部３０は、装置筐体２内の略中央部位に設置されている。この印刷部３０は、直径φＤの円筒状外周面３１ａが孔版原紙Ｍ及び用紙Ｐの幅方向に沿って長尺に形成された回転可能な版胴３１を備えている。この版胴３１は、中心軸３２を中心にしてエンコーダ３３をモータ後端軸に取り付けた版胴モータ３４によって図示反時計方向に回転駆動されるようになっている。
【００２６】
また、版胴３１の中心軸３２の一端面側には、インクＩＫを挿入するためのインク挿入口３２ａが形成されており、版胴３１内に供給されたインクＩＫは多孔性を有する版胴３１の円筒状外周面３１ａに向って滲み出るようになっている。
【００２７】
また、版胴３１の円筒状外周面３１ａの一部には、孔版原紙着版時に製版部２０から送られた製版済みの孔版原紙Ｍの先端部側をクランプしてこの孔版原紙Ｍを円筒状外周面３１ａに沿って巻回させるためのクランプ板３５と、孔版原紙排版時に使用済みの孔版原紙Ｍの先端部を円筒状外周面３１ａから排版装置（排版部）５０に向けて跳ね上げるための跳ね上げ板３６とが開閉可能に取り付けられている。
【００２８】
また、版胴３１の下方には、プレスローラ３７が不図示のプレスローラ接離機構部により版胴３１の円筒状外周面３１ａに対して所定の押圧力で接離自在に設けられている。
【００２９】
更に、版胴３１の右下方には、剥離爪３８が版胴３１の円筒状外周面３１ａに接近して設置されている。この剥離爪３８は、印刷部３０で印刷された印刷済みの用紙Ｐを版胴３１の円筒状外周面３１ａ側から剥離する機能を備えている。
【００３０】
次に、上記したカム駆動部４０は、印刷部３０の版胴３１の上部及び製版部２０の孔版原紙排出口に接近して設置されている。このカム駆動部４０は、版胴３１の円筒状外周面３１ａの一部に取り付けたクランプ板３５及び跳ね上げ板３６を開閉するカム（図示せず）を駆動している。
【００３１】
そして、印刷部３０では、版胴３１を反時計方向に回転してクランプ板３５が上方に至ったときにカム駆動部４０でクランプ板３５を開いて、このクランプ板３５で製版済みの孔版原紙Ｍの先端部をクランプして、孔版原紙Ｍを円筒状外周面３１ａに沿って巻回させている。この後、給紙部２５から送られた未印刷の用紙Ｐをプレスローラ３７で円筒状外周面３１ａに巻回した製版済みの孔版原紙Ｍに押し当てて、版胴３１とプレスローラ３７とで用紙Ｐを下流側に向けて搬送しながら版胴３１内に供給されたインクＩＫを孔版原紙Ｍを通して用紙Ｐ上に孔版原紙Ｍの穿孔画像部に対応した画像を印刷している。
【００３２】
次に、上記した排紙部４５は、装置筐体２の右側面２ｃ側に設置されている。この排紙部４５は、印刷済みの用紙Ｐを排紙する排紙ローラ対と、印刷済みの用紙Ｐを積層する排紙台とを備えており、版胴３１側から剥離爪３８により剥離されて印刷済みの用紙Ｐが排紙台上に排出されている。
【００３３】
次に、排版装置（排版部）５０は、装置筐体２内で版胴３１の左上方部位に設置されている。この排版装置（排版部）５０は、使用済みの孔版原紙Ｍを収容する排版ボックス５１と、排版ボックス５１の入り口５１ａ側に設けた孔版原紙排版搬送手段５５とを備えている。
【００３４】
そして、版胴３１の回転によりクランプ板３５及び跳ね上げ板３６が上方に至ったときにカム駆動部４０でクランプ板３５及び跳ね上げ板３６を開いて、この跳ね上げ板３６で版胴３１の円筒状外周面３１ａから使用済みの孔版原紙Ｍの先端部を跳ね上げた後に、使用済みの孔版原紙Ｍを孔版原紙排版搬送手段５５により排版ボックス５１内に排版搬送している。
【００３５】
この際、上記した孔版原紙排版搬送手段５５は、本発明の要部を構成する部材であり、これについては後で詳述する。
【００３６】
次に、制御部７０は、装置筐体２内の適宜な位置に設置されている。この制御部７０は、内部にＣＰＵやＲＯＭやＲＡＭなどを有しており、孔版印刷装置１を全体的に制御している。
【００３７】
ここで、排版装置（排版部）５０の排版ボックス５１の入り口５１ａ側に設けた孔版原紙排版搬送手段５５について、図１及び図２を併用して説明する。
【００３８】
図２は本発明に係る排版装置に設けた孔版原紙排版搬送手段を斜視的に示している。
【００３９】
図２に示す如く、孔版原紙排版搬送手段５５は、版胴３１の円筒状外周面３１ａから取り外された使用済みの孔版原紙Ｍを原紙排版方向に沿って排版ボックス５１内に排版搬送する機能を有している。
【００４０】
この際、排版ボックス５１は、左右（紙面に垂直な方向）の側板（図示せず）間が孔版原紙Ｍの幅と対応して原紙幅方向に間隔を隔てて設けられている。
【００４１】
具体的に説明すると、孔版原紙排版搬送手段５５では、排版ボックス５１の入り口５１ａ近傍の上下に排版ローラ対５６Ｕ，５６Ｄが上下一対の回転軸５７Ｕ，５７Ｄに複数に分かれて固着されている。
【００４２】
この排版ローラ対５６Ｕ，５６Ｄは、揺動可能な左右一対の揺動アーム５８Ｌ，５８Ｒのうちで版胴３１の円筒状外周面３１ａと対向する各一端部５８ａ，５８ａ側に上下に分かれて互いに反対方向に回転可能に軸支されている。
【００４３】
また、上記した左右一対の揺動アーム５８Ｌ，５８Ｒは、原紙幅方向に間隔を離して略左右対称に形成され、且つ、原紙排版方向と略平行に長尺に形成されている。また、左右一対の揺動アーム５８Ｌ，５８Ｒの各中間部位は、排版ボックス５１の左右の側板に取り付けた左右一対のアーム支持軸５９Ｌ，５９Ｒに揺動可能に支持されているので、左右一対の揺動アーム５８Ｌ，５８Ｒは左右一対のアーム支持軸５９Ｌ，５９Ｒを中心に時計方向及び反時計方向に揺動可能になっている。
【００４４】
また、左右一対の揺動アーム５８Ｌ，５８Ｒのうちで左方の揺動アーム５８Ｌ側には、排版ローラ対５６Ｕ，５６Ｄの回転駆動源となる排版モータ６０が設けられている。この排版モータ６０の先端軸６０ａにはピニオンギア６１が固着されており、且つ、ピニオンギア６１は左方のアーム支持軸５９Ｌに軸支した大径ギア６２に噛合している。
【００４５】
更に、大径ギア６２は、左方の揺動アーム５８Ｌ上で一端部５８ａ側に向って順に取り付けた第１シャフト６３に軸支した第１中間ギア６４に噛合し、且つ、第１中間ギア６４は第２シャフト６５に軸支した第２中間ギア６６に噛合し、且つ、第２中間ギア６６は上方の排版ローラ５６Ｕと一体に回転する上方の回転軸５７Ｕに固着した第３中間ギア６７に噛合している。
【００４６】
この際、第１，第２，第３中間ギア６４，６６，６７は共に同径で大径ギア６２よりも小径に形成されているので、制御部７０の指令により排版モータ６０を回転駆動したときに、各ギア６１，６２，６４，６６，６７がそれぞれ矢印方向に回転し、且つ、排版モータ６０の回転が減速されて上方の排版ローラ５６Ｕに伝達される。
【００４７】
従って、上下の排版ローラ対５６Ｕ，５６Ｄのうちで上方の排版ローラ５６Ｕは駆動ローラとなり、下方の排版ローラ５６Ｄは孔版原紙Ｍを介して上方の排版ローラ５６Ｕに接しながら従動回転する従動ローラとなっている。
【００４８】
そして、排版モータ６０を回転駆動したときに、上下の排版ローラ対５６Ｕ，５６Ｄの外周面の周速度は、版胴３１の円筒状外周面３１ａの周速度よりも速く、版胴３１の円筒状外周面３１ａの周速度の１．１〜１．２倍程度に設定されている。
【００４９】
また、左右一対の揺動アーム５８Ｌ，５８Ｒ中で各一端部５８ａ，５８ａ側とは左右一対のアーム支持軸５９Ｌ，５９Ｒを介した各他端部５８ｂ，５８ｂ側には、左右一対の揺動アーム５８Ｌ，５８Ｒへの付勢手段となる左右一対の引張バネ６８Ｌ，６８Ｒが掛けられている。
【００５０】
そして、左右一対の引張バネ６８Ｌ，６８Ｒは、左右一対の揺動アーム５８Ｌ，５８Ｒを左右一対のアーム支持軸５９Ｌ，５９Ｒを中心にして時計方向に揺動するように付勢している。
【００５１】
これに伴って、左右一対の揺動アーム５８Ｌ，５８Ｒの各他端部５８ｂ，５８ｂ側には、左右一対の揺動アーム５８Ｌ，５８Ｒの時計方向への揺動範囲を規制する左右一対のストッパピン６９Ｌ，６９Ｒが左右一対の揺動アーム５８Ｌ，５８Ｒに対して接離自在に設けられている。
【００５２】
ここで、上記のように構成した孔版原紙排版搬送手段５５の動作について、図３（ａ），（ｂ）を用いて説明する。
【００５３】
図３（ａ），（ｂ）は本発明に係る排版装置に設けた孔版原紙排版搬送手段の動作を説明するために模式的に示しており、（ａ）は孔版原紙の排版動作開始時の状態を示し、（ｂ）は排版搬送中に孔版原紙が緊張した状態を示している。
【００５４】
尚、図３（ａ），（ｂ）では、図２に示した左右一対の揺動アーム５８Ｌ，５８Ｒのうちで減速ギア列６１，６２，６４，６６，６７が設けられた左方の揺動アーム５８Ｌ側に対してのみ符番を付して説明する。
【００５５】
まず、図３（ａ）に示す如く、排版装置５０において、孔版原紙Ｍへの排版動作開始時には、孔版原紙排版搬送手段５５内の揺動アーム５８Ｌがアーム支持軸５９Ｌを中心にして引張バネ６８Ｌの付勢力により時計方向に揺動して初期位置に至っている。
【００５６】
この初期位置では、揺動アーム５８Ｌの一端部５８ａ側に軸支した排版ローラ対５６Ｕ，５６Ｄが排版ボックス５１の入り口５１ａの下方位置まで下がっているが、揺動アーム５８Ｌの他端部５８ｂ側に接しているストッパピン６９Ｌでこれより下方への移動が規制されている。
【００５７】
そして、制御部７０の指令により排版モータ６０を回転駆動したときに、排版モータ６０の回転が減速ギア列６１，６２，６４，６６，６７により減速されて揺動アーム５８Ｌの一端部５８ａ側に軸支した排版ローラ対５６Ｕ，５６Ｄに伝達される。
【００５８】
このときに、前述したように、排版ローラ対５６Ｕ，５６Ｄの外周面の周速度は、版胴３１の円筒状外周面３１ａの周速度よりも速く、版胴３１の円筒状外周面３１ａの周速度の１．１〜１．２倍程度になっている。
【００５９】
また、排版動作開始時にクランプ板３５及び跳ね上げ板３６を共に開いて、跳ね上げ板３６によって使用済みの孔版原紙Ｍの先端部が版胴３１の円筒状外周面３１ａから取り外されると、版胴３１の反時計方向への回転に伴って使用済みの孔版原紙Ｍの先端部が排版ローラ対５６Ｕ，５６Ｄに導かれて排版搬送が開始され、排版ローラ対５６Ｕ，５６Ｄによって使用済みの孔版原紙Ｍが排版ボックス５１内に搬送される。
【００６０】
そして、排版ローラ対５６Ｕ，５６Ｄによって使用済みの孔版原紙Ｍへの排版搬送が継続されると、排版ローラ対５６Ｕ，５６Ｄの周速度が版胴３１の周速度よりも速いので、排版ローラ対５６Ｕ，５６Ｄによって使用済みの孔版原紙Ｍが引っ張られて、排版ローラ対５６Ｕ，５６Ｄと版胴３１との間で使用済みの孔版原紙Ｍが徐々に緊張する。
【００６１】
この後、図３（ｂ）に示す如く、使用済みの孔版原紙Ｍが徐々に緊張すると、揺動アーム５８Ｌを介して引張バネ６８Ｌが徐々に伸びるので、排版ローラ対５６Ｕ，５６Ｄと一体に揺動アーム５８Ｌがアーム支持軸５９Ｌを中心にして引張バネ６８Ｌの付勢方向とは反対方向に揺動する。
【００６２】
これに伴って、揺動アーム５８Ｌと一体に排版ローラ対５６Ｕ，５６Ｄが使用済みの孔版原紙Ｍを排版しながら上動し、使用済みの孔版原紙Ｍが排版ボックス５１内に収容される。
【００６３】
そして、使用済みの孔版原紙Ｍへの排版搬送動作が終了するまで、揺動アーム５８Ｌと一体に排版ローラ対５６Ｕ，５６Ｄは上動位置に保たれている。
【００６４】
ここで、揺動アーム５８Ｌと一体に排版ローラ対５６Ｕ，５６Ｄが上動すると、この上動位置で使用済みの孔版原紙Ｍが緊張する量が減り、揺動アーム５８Ｌの上方への移動軌跡の変位量に対応した孔版原紙Ｍの送り過ぎた分をまず吸収する。
【００６５】
これと同時に、揺動アーム５８Ｌの上動により、排版モータ６０に取り付けたピニオンギア６１への大径ギア６２の噛合位置が反時計方向に例えば３０°〜４０°程度に回転することにより、大径ギア６２による排版ローラ対５６Ｕ，５６Ｄへの回転量が減る方向になるので、孔版原紙Ｍの送り量が減って孔版原紙Ｍの送り過ぎた分（余剰分）を吸収することができる。
【００６６】
従って、排版ローラ対５６Ｕ，５６Ｄの周速度を版胴３１の周速度よりも速く設定したときに、使用済みの孔版原紙Ｍが排版ローラ対５６Ｕ，５６Ｄと版胴３１との間で緊張する量を減らし、排版ローラ対５６Ｕ，５６Ｄ側の負荷が過剰にならずに軽減できる。また、排版モータ６０の回転を減速して排版ローラ対５６Ｕ，５６Ｄに伝達する減速ギア列６１，６２，６４，６６，６７の破損を防ぐことができると共に、排版モータ６０を大型化する必要がないなどの効果を得ることができる。これにより、使用済みの孔版原紙Ｍを排版ローラ対５６Ｕ，５６Ｄにより排版ボックス５１内に確実に排版搬送することができる。
【００６７】
上記により、付勢手段となる左右一対の引張バネ６８Ｌ，６８Ｒは、版胴３１の円筒状外周面３１ａから取り外された使用済みの孔版原紙Ｍを排版ローラ対５６Ｕ，５６Ｄに導くように左右一対の揺動アーム５８Ｌ，５８Ｒを付勢しており、且つ、排版ローラ対５６Ｕ，５６Ｄによる排版搬送中に孔版原紙Ｍの引っ張り力が増加したときに、左右一対の引張バネ（付勢手段）６８Ｌ，６８Ｒを介して排版ローラ対５６Ｕ，５６Ｄと一体に左右一対の揺動アーム５８Ｌ，５８Ｒを付勢手段の付勢方向と逆方向に揺動可能にしている。
【００６８】
従って、簡単な構造の付勢手段６８Ｌ，６８Ｒにより排版時における孔版原紙Ｍの緊張度合いを検出して、排版ローラ対５６Ｕ，５６Ｄによる排版搬送中に孔版原紙Ｍの引っ張り力が増加したときに、揺動アーム５８Ｌ，５８Ｒと一体に排版ローラ対５６Ｕ，５６Ｄを移動することができる。
【００６９】
尚、この実施形態では、使用済みの孔版原紙Ｍの排版搬送時に、排版ローラ対５６Ｕ，５６Ｄの周速度を版胴３１の周速度よりも１．１〜１．２倍程度速く設定した場合について説明したが、制御部７０を介して排版搬送開始から排版搬送後半にかけて排版ローラ対５６Ｕ，５６Ｄの周速度を版胴３１の周速度の１．１倍に設定し、且つ、版胴モータ３４の回転位置をエンコーダ３３で検出して版搬送終了近傍に至ったら版胴３１の周速度の１．２倍に設定することも可能であり、これにより孔版原紙排版動作を早めることができる。
【００７０】
更に尚、以上詳述した実施形態の排版装置５０では、左右一対の揺動アーム５８Ｌ，５８Ｒを左右一対の引張バネ６８Ｌ，６８Ｒで付勢して、孔版原紙Ｍの引っ張り力が増加したときに、左右一対の引張バネ６８Ｌ，６８Ｒを介して左右一対の揺動アーム５８Ｌ，５８Ｒを上方に揺動させているが、これに限ることなく、左右一対の揺動アーム５８Ｌ，５８Ｒをソレノイド又はモータなどのアーム駆動源を用いて揺動させることも可能である。
【００７１】
この場合には、排版搬送中に孔版原紙の引っ張り力が増加したときの排版モータ６０(又は、版胴モータ３４)の過負荷電流値を制御部７０内に予め設定しておき、この排版モータ６０の過負荷電流値を制御部７０が検出したときに、アーム駆動源を介して左右一対の揺動アーム５８Ｌ，５８Ｒを上方に揺動させれば良い。
【符号の説明】
【００７２】
１…孔版印刷装置、２…装置筐体、１０…操作パネル部、１５…原稿読取部、
２０…製版部、２５…給紙部、３０…印刷部、３１…版胴、３１ａ…円筒状外周面、
４０…カム駆動部、４５…排紙部、
５０…排版装置（排版部）、５１…排版ボックス、５１ａ…入り口、
５５…孔版原紙排版搬送手段、
５６Ｕ，５６Ｄ…排版ローラ対、５７Ｕ，５７Ｄ…上下一対の回転軸、
５８Ｌ，５８Ｒ…左右一対の揺動アーム、５９Ｌ，５９Ｒ…左右一対のアーム支持軸、
６０…排版モータ、６１…ピニオンギア、６２…大径ギア、６３…第１シャフト、
６４…第１中間ギア、６５…第２シャフト、６６…第２中間ギア、
６７…第３中間ギア、６８Ｌ，６８Ｒ…付勢手段（左右一対の引張バネ）、
７０…制御部、Ｍ…孔版原紙（マスタ）、Ｐ…用紙。
【図１】
2016187883.tif 000003
【図２】
2016187883.tif 000004
【図３】
2016187883.tif 000005